(57)【要約】      （修正有）【課題】墓前の環境を美化し、且、清潔に維持することができる墓用花立て装置、及び、これを用いたお墓を提供する。【解決手段】墓用花立て装置１を構成する外容器１０は、収納空間１００と、収納空間１００に連通する第１の開口部１１とを有している。内容器２０は、有底筒状であって、造花保持部２６を有し、収納空間１００に取り出し可能に収納され、収納された状態で、有底筒状の第２の開口部２１、又は、第２の開口部２１に向かい合う底部２３が、第１の開口部１１の側に位置している。造花保持部２６は、第３の内部空間２６０と、第３の内部空間２６０に連通する第３の開口部２６１とを有し、有底筒状の壁部２２に配置されている。第３の開口部２６１は、有底筒状の底部２３の側に開口している。本発明に係るお墓は、上述した墓用花立て装置１と、墓石とを含み、墓用花立て装置１は、墓石に設置されている。【選択図】図９
2010209567.tif 000002
【特許請求の範囲】
【請求項１】
外容器と、内容器とを含む墓用花立て装置であって、
前記外容器は、収納空間と、前記収納空間に連通する第１の開口部とを有しており、
前記内容器は、有底筒状であって、造花保持部を有し、前記収納空間に取り出し可能に収納され、収納された状態で、有底筒状の第２の開口部、又は、前記第２の開口部に向かい合う底部が、前記第１の開口部の側に位置しており、
前記造花保持部は、内部空間と、前記内部空間に連通する第３の開口部とを有し、前記有底筒状の壁部に配置されており、
前記第３の開口部は、前記有底筒状の底部の側に開口している、
墓用花立て装置。
【請求項２】
請求項１に記載された墓用花立て装置であって、
前記造花保持部は、前記壁部の内側に配置されている、
墓用花立て装置。
【請求項３】
請求項１に記載された墓用花立て装置であって、
前記造花保持部は、前記壁部の外側に配置されている、
墓用花立て装置。
【請求項４】
請求項１乃至３の何れかに記載された墓用花立て装置であって、さらに前記外容器は、壁部と、貫通部とを有しており、
前記壁部は、前記収納空間を画定しており、
前記貫通部は、前記壁部に開口し、前記収納空間に連通している、
墓用花立て装置。
【請求項５】
請求項１乃至４の何れかに記載された墓用花立て装置であって、さらに前記内容器は、装飾部を有しており、
前記装飾部は、前記底部の外面に突設されている、
墓用花立て装置。
【請求項６】
墓用花立て装置を含むお墓であって、
前記墓用花立て装置は、請求項１乃至５の何れかに記載されたものでなり、前記墓石に設置されている、
お墓。
【発明の詳細な説明】
【技術分野】
【０００１】
本発明は、墓用花立て装置、及び、これを用いたお墓に関する。
【背景技術】
【０００２】
通常、墓は、墓石以外にも香炉や花立てなど付属物を有している。花立ては、遺族が墓参りの際に、墓前に手向けた供花を挿すものであって、大きく分けて特許文献１及び２に示されているような墓石上に載置される態様のものと、特許文献３乃至５に示されているような墓石などに埋設される態様のものとが知られている。
【０００３】
ところで、墓参りの際に墓前へ供物を捧げたままにすると、野良犬や烏などによって供物が食い荒らされ、墓地の環境が雑然となる問題が生じる。そこで、多くの墓地や霊園では、墓地の環境美化を図る観点から、墓前に供えた供物は、墓参り後に持ち帰るよう利用規則等で定めている。これに対し、供花は、野良犬などによって食い荒らされる恐れがないことから、墓前に供えた供花は、墓参り後もそのまま墓前に飾られる傾向にある。
【０００４】
しかし、近年、供花についても、墓地の環境が雑然となる問題が生じうることが知られている。例えば、供花は、概ね生花であるから冬季の寒気に弱く、花や葉が立ち枯れた状態で花立てに放置されることとなる。さらに、花立てに供花を供えたまま放置していると、花立て内の水が寒気によって凍結し、氷によって持ち上げられた供花が花立てから脱落して地面に散乱することとなる。
【０００５】
また、供花は、夏季の直射日光や熱気にも弱く、萎れた花や葉が地面に散乱する。さらに、生花を長持ちさせるため花立て内に溜めた水が熱気により腐敗して臭気を発したり、ときには蚊の幼虫の住家ともなる。これらは甚だ佗しく心痛むことであり、霊魂の安住の地に相応しくない。
【０００６】
従来、供花を巡る墓前の環境美化の問題は、遺族が頻繁に墓参りし、墓前の管理をすることにより解消されてきた。しかし、現在では、ライフスタイルの変化に伴い、墓地と、遺族の居住地とが遠く離れていることが多く、供花の管理するためだけに墓参りしなければならないとなると、遺族にとって負担が大きくなる。
【０００７】
上述した供花を巡る墓前の環境美化の問題について、特許文献１乃至５では、解決することができない。
【先行技術文献】
【特許文献】
【０００８】
【特許文献１】実用新案登録第３１３４６４３号公報
【特許文献２】特許第３４４９２９６号公報
【特許文献３】特開２００７−１６２３１２号公報
【特許文献４】特許第３６６２３０９号公報
【特許文献５】実用新案登録第３１４３４５２号公報
【発明の開示】
【発明が解決しようとする課題】
【０００９】
本発明の課題は、墓前の環境を美化し、且、清潔に維持することができる墓用花立て装置、及び、これを用いたお墓を提供することである。
【課題を解決するための手段】
【００１０】
上述した課題を解決するため、本発明に係る墓用花立て装置は、外容器と、内容器とを含む。外容器は、収納空間と、収納空間に連通する第１の開口部とを有している。内容器は、有底筒状であって、造花保持部を有し、収納空間に取り出し可能に収納され、収納された状態で、有底筒状の第２の開口部、又は、第２の開口部に向かい合う底部が、第１の開口部の側に位置している。造花保持部は、内部空間と、内部空間に連通する第３の開口部とを有し、有底筒状の壁部に配置されている。第３の開口部は、有底筒状の底部の側に開口している。
【００１１】
本発明に係るお墓は、上述した墓用花立て装置と、墓石とを含み、墓用花立て装置は、墓石に設置されている。
【００１２】
上述したように、本発明に係る墓用花立て装置を構成する外容器は、収納空間と、収納空間に連通する第１の開口部とを有しているから、第１の開口部を通じて内容器を収納空間に案内し、又は、収納空間に収納された内容器を第１の開口部を通じて取り出すことができる。従って、内容器の維持管理が容易になり、墓前の環境を清潔に維持することができる。
【００１３】
内容器は、収納空間に取り出し可能に収納されているから、内容器と外容器とは互いに分離可能な別部材である。従って、外容器に対して墓前の装飾に適した構造、形状、模様、及び、色彩を付することが可能となり、もって、墓前の環境を美化することができる。
【００１４】
内容器は、収納空間に取り出し可能に収納され、収納された状態で、有底筒状の第２の開口部、又は、第２の開口部に向かい合う底部が、第１の開口部の側に位置している。即ち、内容器は、第２の開口部、又は、底部のいずれの側からも、収納空間に案内することができる。
【００１５】
内容器が底部の側から収納空間に案内された場合、内容器の第２の開口部が、外容器の第１の開口部の側に位置し、第１、第２の開口部が同一方向に開口する状態（正位置の状態）となる。内容器は有底筒状であるから、内容器が正位置の状態で収納空間に収納されているとき、例えば墓参りの最中に、第１、第２の開口部を通じて内容器に供花を挿すとともに、供花のための水をためることができる。従って、墓前の環境を美化することができる。
【００１６】
他方、内容器が第２の開口部の側から収納空間に案内された場合、内容器の底部が、外容器の第１の開口部の側に位置する状態（逆位置の状態）となる。この構造によると、内容器が逆位置の状態で収納空間に収納されているとき、例えば次に墓参りに訪れるまでの間に、内容器の内部に雨水などが溜まる不都合を回避することができる。従って、墓前の環境を清潔に維持することができる。
【００１７】
さらに、内容器は造花保持部を有し、造花保持部は、内部空間と、内部空間に連通する第３の開口部とを有し、有底筒状の壁部に配置されている。さらに第３の開口部は、有底筒状の底部の側に開口している。この構造によると、内容器が逆位置の状態に収納空間に収納されているとき、造花保持部の第３の開口部と、外容器の第１の開口部とが同一方向に開口するから、造花を挿すことができる。従って、墓前の環境を美化し、且、清潔に維持することができる。
【００１８】
本発明に係るお墓は、墓用花立て装置と、墓石とを有し、墓用花立て装置は、外容器が墓石に設置されている。この構造によると、墓用花立て装置を構成する内容器と外容器とは互いに分離可能な別部材であるから、外容器を墓石上に固定した状態で、内容器のみを外容器から分離することができる。従って、内容器の維持管理が容易になり、もって、墓前の環境を美化し、且、清潔に維持することができる。
【発明の効果】
【００１９】
以上述べたように、本発明によれば、次のような効果を得ることができる。
（１）墓前の環境を美化し、且、清潔に維持することができる墓用花立て装置、及び、これを用いたお墓を提供することができる。
【００２０】
本発明の他の目的、構成及び利点については、添付図面を参照し、更に詳しく説明する。添付図面は、単に、例示に過ぎない。
【図面の簡単な説明】
【００２１】
【図１】本発明の一実施形態に係る墓用花立て装置の正面図である。
【図２】図１の墓用花立て装置の内部構造を示す断面図である。
【図３】図１の墓用花立て装置の使用態様を示す正面断面図である。
【図４】図３の墓用花立て装置の平面図である。
【図５】図３の墓用花立て装置について別の使用態様を示す正面断面図である。
【図６】図５の墓用花立て装置の平面図である。
【図７】本発明の一実施形態に係るお墓の正面図である。
【図８】図７のお墓の一部を拡大して示す部分断面図である。
【図９】図８の別の使用態様を示す正面断面図である。
【図１０】図８の別の使用態様を示す正面断面図である。
【図１１】本発明のもう一つ実施形態に係る墓用花立て装置の斜視図である。
【図１２】図１１の墓用花立て装置の分解構造図である。
【図１３】図１１の墓用花立て装置について別の使用態様を示す斜視図である。
【図１４】図１３の墓用花立て装置の内部構造を示す断面図である。
【図１５】本発明のさらにもう一つ実施形態に係る墓用花立て装置の斜視図である。
【図１６】図１５の墓用花立て装置の分解構造図である。
【図１７】図１５の墓用花立て装置について別の使用態様を示す斜視図である。
【図１８】図１７の墓用花立て装置の平面図である。
【図１９】本発明のさらにもう一つ実施形態に係る墓用花立て装置の正面図である。
【発明を実施するための最良の形態】
【００２２】
図１は本発明の一実施形態に係る墓用花立て装置の正面図、図２は図１の墓用花立て装置の内部構造を示す断面図である。
【００２３】
また、図３は本発明に係る墓用花立て装置の使用態様を示す正面断面図、図４は図３の墓用花立て装置の平面図である。さらに、図５は本発明に係る墓用花立て装置について別の使用態様を示す正面断面図、図６は図５の墓用花立て装置の平面図である。図１乃至図６の墓用花立て装置は、外容器１０と、内容器２０とを含む。
【００２４】
外容器１０は、収納空間１００と、収納空間１００に連通する第１の開口部１１とを含み、さらに、第１の壁部１２と、第１の底部１３と、第１の貫通部１４と、第１の支持部１５と、第１の排水口１６と、第１のネジ挿通孔１７とを有している。
【００２５】
収納空間１００は、第１の底部１３と、第１の底部１３の周縁から高さ方向Ｔに立ち上がる第１の壁部１２とによって画定されている。第１の壁部１２、及び、第１の底部１３は、成形容易性、経年使用に対する耐久性（耐腐食性）などの観点から、アルミ、ステンレスなどの金属材料、又は、ポリエチレン（ＰＥ）、ポリプロピレン（ＰＰ）などの合成樹脂材料を主成分とし、周知の加工技術によって一体的な有底筒状に成形されている。
【００２６】
第１の開口部１１は、第１の底部１３と高さ方向Ｔに向かい合う第１の壁部１２の一端側に開口し、収納空間１００に連通している。第１の開口部１１は、平面から見て幅広の楕円形となっており、高さ方向Ｔに交差する幅方向Ｗに向かい合う第１の壁部１２の内面１２１に最大差し渡し寸法Ｓ１を有し、幅方向Ｗに交差する奥行き方向Ｄに向かい合う内面１２１に最小差し渡し寸法Ｓ２を有している（図４参照）。
【００２７】
外容器１０において、最大差し渡し寸法Ｓ１および最小差し渡し寸法Ｓ２の関係は、第１の開口部１１から、第１の底部１３まで保たれている。即ち、第１の壁部１２は、高さ方向Ｔに伸びる中間部分に径変化部分を有しない。
【００２８】
第１の貫通部１４は、内面１２１と外面１２２とにそれぞれ開口し、第１の壁部１２を厚み方向に貫通し、収納空間１００に連通している。第１の貫通部１４は、好ましくは、所定の模様を有する透かし彫り、又は、複数が所定のパターンで配列されて模様を構成している。図１の第１の貫通部１４は、開口部分の形状がひし形となっており、複数が高さ方向Ｔ、及び、幅方向Ｗに、マトリックス状に配置されている。もっとも、第１の貫通部１４は、矢印Ｆ１で示すように外部の空気を収納空間１００に導入し、収納空間１００内の温度を一定に保つための通風口である（図３参照）。従って、必ずしも上述した形状や模様、配置に限定されるものではない。例えば、第１の貫通部１４を花柄や唐草模様の透かし彫りとすることにより、通風口としての基本機能に加えて、第１の壁部１２に対し墓前に適した装飾効果を付することができる。
【００２９】
第１の支持部１５は、第１の壁部１２と第１の底部１３との交差部分に沿って環状に伸びるとともに、第１の底部１３の内面１３１から高さ方向Ｔに立ち上がっており、内面１３１と、内面１３１に平行する第１の支持部１５の先端面（支持面）１５１との高低差Ｔ１５の分だけ、第１の底部１３の中央部分が凹状に陥没している。この凹みは、後述する装飾部（２５）の退避空間１５０となる。
【００３０】
第１の排水口１６は、立ち上がり側面１５２と、これに向かい合う外面１２２に開口し、第１の支持部１５および第１の壁部１２を第１の底部１３と平行して貫通している。第１の排水口１６は、内容器２０から溢れ出た水や、収納空間１００内に侵入した雨水、及び、結露により生じる水などを、収納空間１００から矢印Ｆ２で示すように外へ排出するものであり（図３参照）、収納空間１００を画定する第１の壁部１２及び第１の底部１３の下側において、水がたまりやすい位置に開口することが好ましい。もっとも、図１乃至図６の外容器１０は、外部に連通する第１の貫通部１４を有しているから、この第１の貫通部１４においても、収納空間１００に侵入した雨水を外部に排出することができる。
【００３１】
第１のネジ挿通孔１７は、内面１３１、及び、外面１３２に開口し、第１の底部１３を高さ方向Ｔに貫通している。
【００３２】
内容器２０は、有底筒状であって、第２の内部空間２００と、第２の開口部２１と、第２の壁部２２と、第２の底部２３と、第２の貫通部２４と、装飾部２５とを有している。
【００３３】
第２の壁部２２は、収納空間１００の高さ寸法（Ｔ１００）、より正確には支持面１５１から第１の開口部１１までの高さ寸法Ｔ１００と、同程度の高さ寸法Ｔ２２を有している。第２の内部空間２００は、第２の底部２３と、第２の底部２３の周縁から高さ方向Ｔに立ち上がる第２の壁部２２とによって画定されている。
【００３４】
第２の壁部２２、及び、第２の底部２３は、成形容易性、耐久性などの観点から、アルミ、ステンレスなどの金属材料、又は、ポリエチレン（ＰＥ）、ポリプロピレン（ＰＰ）などの合成樹脂材料を主成分とし、周知の加工技術によって一体的な有底筒状に成形されている。
【００３５】
第２の開口部２１は、第２の底部２３と高さ方向Ｔに向かい合う第２の壁部２２の一端側に開口し、第２の内部空間２００に連通している。第２の開口部２１は、平面から見て幅広の楕円形となっており、幅方向Ｗに向かい合う第２の壁部２２の外面２２２に最大差し渡し寸法Ｓ３を有し、奥行き方向Ｄに向かい合う第２の壁部２２の外面２２２に最小差し渡し寸法Ｓ４を有している（図４参照）。
【００３６】
内容器２０において、最大差し渡し寸法Ｓ３および最小差し渡し寸法Ｓ４の関係は、第２の開口部２１から、第２の底部２３まで保たれている。即ち、第２の壁部２２は、高さ方向Ｔに伸びる中間部分に径変化部分を有しない。
【００３７】
第２の貫通部２４は、第２の壁部２２の内面２２１と外面２２２とにそれぞれ開口し、第２の壁部２２の内部を厚み方向に貫通し、第２の内部空間２００に連通している。第２の貫通部２４は、第２の内部空間２００内に供花のための水を注いだ際の余分な水や、第２の内部空間２００内に侵入した雨水によって増えた水などを矢印Ｆ３で示すように外へ排出し（図３参照）、第２の内部空間２００内の水面位置の上限Ｌ２４を決定する水位調節口である。図２の第２の貫通部２４は、第２の内部空間２００を画定する第２の壁部２２において、高さ方向Ｔで見た第２の開口部２１の側に開設されている。もっとも、第２の貫通部２４の開設位置は、水面位置をどの高さ位置に設定するかに応じて適宜決定することができる。
【００３８】
さらに、内容器２０において第２の貫通部２４が、高さ方向Ｔで見た第２の開口部２１の側に開設されている構成によると、第１の貫通部１４を通じて収納空間１００に導入された外部の空気Ｆ１を、さらに矢印Ｆ４で示すように第２の内部空間２００に導入することができる（図３参照）。従って、水位調節口としての基本機能に加えて、第１の貫通部１４と同様に通風口としての機能を有することができる。
【００３９】
内容器２０は、第２の内部空間２００を画定する内面２２１に、複数の造花保持部２６を有し、複数の造花保持部２６は間隔を隔てて左右対称に配置されている。造花保持部２６のそれぞれは、第３の内部空間２６０と、第３の開口部２６１と、第３の壁部２６２を有している。
【００４０】
第３の壁部２６２は、成形容易性、経年使用に対する耐腐食性など（耐腐食性）などの観点から、アルミ、ステンレスなどの金属材料、又は、ポリエチレン（ＰＥ）、ポリプロピレン（ＰＰ）などの合成樹脂材料を主成分としている。第３の壁部２６２は、好ましくは第２の壁部２２に結合されており、より好ましくは第２の壁部２２と一体的に連続している。もっとも、第３の壁部２６２は、周知の溶接技術、接着技術等を用いて、第２の壁部２２に後付されてもよい。
【００４１】
第３の内部空間２６０は、第２の壁部２２の内側において、高さ方向Ｔに沿って伸びる第３の壁部２６２によって画定されている。即ち、第３の内部空間２６０は、第３の壁部２６２によって第２の内部空間２００とは隔てられている。
【００４２】
また、第３の内部空間２６０は、高さ方向Ｔの両端で開口している。第３の開口部２６１は、高さ方向Ｔに向かい合う２つの開口部の一方であって、好ましくは第２の底部２３の側に開口し、より好ましくは第２の底部２３の面内に開口し、第３の内部空間２６０に連通している。
【００４３】
さらに、内容器２０は、第２の底部２３の外面２３２に装飾部２５を有している。装飾部２５は、墓前の装飾に適した構造、形状、模様、及び、色彩（デザイン）を有している。墓前の装飾に適したデザインとしては、例えば、蓮の花や擬宝珠、仏頭など周知の仏具デザインがあげられる。
【００４４】
本発明の一実施形態に係る墓用花立て装置は、外容器１０に内容器２０が収納された二重筒構造を有している。内容器２０の平面形状は、外容器１０の平面形状を縮小した相似形となっており、内容器２０の最大差し渡し寸法Ｓ３および最小差し渡し寸法Ｓ４は、外容器１０の最大差し渡し寸法Ｓ１および最小差し渡し寸法Ｓ２よりも小さくなっている。上述した構造により、墓用花立て装置は、収納空間１００に内容器２０が収納された状態で、内面１２１と、外面２２２との間に、内容器２０と外容器１０の径寸法差に応じた隙間Ｇを有している。
【００４５】
内容器２０は、収納空間１００に取り出し可能に収納され、収納された状態で、有底筒状の第２の開口部２１、又は、第２の開口部２１に向かい合う第２の底部２３が、第１の開口部１１の側に位置している。違う言葉で表現すれば、内容器２０は、第２の開口部２１、又は、第２の底部２３のいずれかが、第１の底部１３によって支えられており、好ましくは支持面１５１によって支えられている。ここで、第２の開口部２１、又は、第２の底部２３のいずれが、第１の開口部１１の側に位置するかは、収納空間１００への案内時における、内容器２０の向きによって決定される。
【００４６】
内容器２０が第２の底部２３の側から収納空間１００に案内された場合、図３及び図４に示すように、第２の開口部２１が第１の開口部１１の側に位置し、第２の開口部２１と、第１の開口部１１とが同一方向に開口する状態（正位置の状態）となる。正位置の状態において、内容器２０は、底部外面２３２が支持面１５１によって支持され、装飾部２５が退避空間１５０に収納される。即ち、支持面１５１と第１の底部１３との高低差Ｔ１５は、装飾部２５の高さ寸法Ｔ２５に追従して決定される。
【００４７】
他方、内容器２０が第２の開口部２１の側から収納空間１００に案内された場合、図５及び図６に示すように、第２の底部２３が第１の開口部１１の側に位置し、第２の開口部２１と、第１の開口部１１とが相対向する方向に開口する状態（逆位置の状態）となる。第２の壁部２２は、高さ寸法Ｔ１００と、同程度の高さ寸法Ｔ２２を有しているから、内容器２０が収納空間１００に収納された状態で、第１の開口部１１の開口縁の近傍に底部外面２３２が位置し、装飾部２５が第１の開口部１１の開口縁から高さ方向Ｔに突出する。
【００４８】
再び図１乃至図６を参照して説明する。墓用花立て装置は、蓋３０を含む。蓋３０は、基体部３１と、把手部３２とを有する。基体部３１は、蓋面部３１０と、第４の壁部３１１と、第４の貫通部３１２とを有している。第４の壁部３１１は、蓋面部３１０の周縁から高さ方向Ｔに立ち下がっている。蓋面部３１０および第４の壁部３１１は、成形容易性、耐腐食性などの観点から、アルミ、ステンレスなどの金属材料、又は、ポリエチレン（ＰＥ）、ポリプロピレン（ＰＰ）などの合成樹脂材料を主成分とし、一般的な加工を用いて一体的に成形されている。
【００４９】
第４の貫通部３１２は、蓋面部３１０又は第４の壁部３１１それぞれの外面および内面に開口し、蓋面部３１０又は第４の壁部３１１を厚み方向に貫通している。第４の貫通部３１２は、開口部分の形状が花柄形となっており、複数が幅方向Ｗに配置されている。第４の貫通部３１２は、外部の空気を第１、第２の内部空間１００、２００に案内し、又は、第１、第２の内部空間１００、２００内の空気を外部に排出することにより、第１、第２の内部空間１００、２００内の温度を一定に保つための通風口である。従って、必ずしも上述した構造に限定されるものではない。例えば。第４の貫通部３１２を花柄や唐草模様の透かし彫りとすることにより、通風口としての基本機能に加えて、お墓用花立て装置に適した装飾効果を付することができる。
【００５０】
蓋３０は、外容器１０の第１の開口部１１に着脱可能に取り付けられ、取り付けられた状態で収納空間１００、２００を覆っている。蓋３０の着脱には、蓋面部３１０の外面に取り付けられた把手部３２を掴んで行うことができる。
【００５１】
図１乃至図６を参照して説明したように、本発明の一実施形態に係る墓用花立て装置は、外容器１０に内容器２０が配置されている二重構造であって、外容器１０は、収納空間１００を有しているから、収納空間１００に、内容器２０を配置することができる。さらに、内容器２０は、第２の内部空間２００を有するから、第２の内部空間２００に、供花を保持するとともに、供花のための水を貯留することができる。
【００５２】
外容器１０は、収納空間１００に連通する第１の開口部１１とを有しているから、第１の開口部１１を通じて、内容器２０を収納空間１００に案内し、又は、収納空間１００に収納された内容器２０を取り出すことができる。従って、内容器２０の維持管理が容易になり、墓前の環境を清潔に維持することができる。
【００５３】
内容器２０は、収納空間１００に取り出し可能に収納されているから、内容器２０と外容器１０とは互いに分離可能な別部材である。従って、外容器１０に対して墓前の装飾に適した形状、模様、及び、色彩を付することが可能となり、もって、墓前の環境を美化することができる。
【００５４】
第１の開口部１１は、最大差し渡し寸法Ｓ１と、最小差し渡し寸法Ｓ２とを有し、平面から見て幅広の楕円形となっているから、外容器１０の向きを調節することにより、設置スペースの奥行きが小さい場所に、外容器１０を配置することができる。
【００５５】
外容器１０の最大差し渡し寸法Ｓ１および最小差し渡し寸法Ｓ２の関係は、第１の開口部１１から、第１の底部１３まで保たれており、第１の壁部１２は高さ方向Ｔに伸びる中間部分に径変化部分を有しない。この構造によると、外容器１０は、収納空間１００の内寸法が第１の開口部１１以下に縮小する部分を有しないから、第１の開口部１１を通り抜けることができさえすれば、内容器２０を収納空間１００に配置することができる。
【００５６】
また、内容器２０の最大差し渡し寸法Ｓ３および最小差し渡し寸法Ｓ４の関係は、第２の開口部２１から、第２の底部２３まで保たれており、第２の壁部２２は、高さ方向Ｔに伸びる中間部分に径変化部分を有しないから、内容器２０を、第２の開口部２１側からも、第２の底部２３側からも、第１の開口部１１を通じて外容器１０内に案内することができる。
【００５７】
内容器２０は、収納空間１００に取り出し可能に収納され、収納された状態で、有底筒状の第２の開口部２１、又は、第２の底部２３が、第１の開口部１１の側に位置している。
【００５８】
内容器２０は有底筒状であるから、内容器２０が正位置の状態で収納空間１００に収納されているとき、例えば墓参りの最中に、第１、第２の開口部１１、２１を通じて第２の内部空間２００に供花を挿すとともに、及び、供花のための水をためることができる。従って、墓前の環境を美化することができる。
【００５９】
他方、内容器２０が逆位置の状態で収納空間１００に収納されているとき、例えば次に墓参りに訪れるまでの間に、第２の内部空間２００に雨水などが溜まる不都合を回避することができる。従って、墓前の環境を清潔に維持することができる。
【００６０】
第１の支持部１５は、第１の底部１３の中央部分に退避空間１５０を有しているから、退避空間１５０に装飾部２５を収納することにより、第２の底部２３と第１の底部１３とを平行させた状態で支持面１５１により外面２３２を支持することができる。従って、内容器２０を収納空間１００に安定的に配置し、内容器２０に挿された供花の見栄えが良くなるとともに、内容器２０から供花が脱落する不具合を回避することができる。
【００６１】
内容器２０は、内面２２１に、造花保持部２６を有しており、造花保持部２６は、第３の内部空間２６０を有しているから、第３の内部空間２６０に、供花を配置することができる。
【００６２】
造花保持部２６は、第３の内部空間２６０に連通する第３の開口部２６１を有し、第２の壁部２２の内側に配置されている。第３の開口部２６１は、第２の底部２３の側に開口している。この構造によると、内容器２０が逆位置の状態で収納空間１００に収納されているとき、第３の開口部２６１と、第１の開口部１１とが同一方向に開口するから、第３の開口部２６１を通じて、第３の内部空間２６０に供花（特に造花）を案内し、又は、第３の内部空間２６０内に配置された供花を取り出すことができる。従って、墓前の環境を美化し、且、清潔に維持することができる。
【００６３】
図７は本発明の一実施形態に係るお墓の正面図、図８は図７のお墓の一部を拡大して示す部分断面図である。また、図９及び図１０は、図８の別の使用態様を示す正面断面図である。図７乃至図１０において、図１乃至図６に示した構成部分と同一の構成部分には、同一の参照符号を付す。
【００６４】
図１乃至図６を参照して説明した花立て装置１は、墓石４と組み合わされて、お墓を構成する。即ち、本発明の一実施形態に係るお墓は、花立て装置１と、墓石４とを有する。墓石４は、竿石４１と、上台４２と、中台４３と、下台４４とを有し、それぞれが上述した順序で積み重ねられている。また、墓石４は、下台４４に隣接して拝石４５を有しており、拝石４５上に香炉４６が載置されている。
【００６５】
花立て装置１は、墓石４に設置されている。図７乃至図１０の花立て装置１は、下台４４に載置されており、下台４４は花立て装置１の載置箇所に予め雌型嵌合具８１（例えばナット）が埋設されている。他方、花立て装置１は、第１の底部１３に第１のネジ挿通孔１７を有し、この第１のネジ挿通孔１７の内側に雄型嵌合具８２（例えばボルト）を配し、雄型嵌合具８２を第１のネジ挿通孔１７を通じて、雌型嵌合具８１に螺着結合させることにより、外容器１０が下台４４上に固定される。この構成によると、外容器１０の固定作業中において、外容器１０を回転させず、正面に向けたままで下台４４に固定することができる。
【００６６】
さらに、図８の実施形態は、例えば墓参り中の使用状態を示すものであって、外容器１０と内容器２０とが正位置の状態に組み合わされており、第１、第２の開口部１１、２１を通じて生花５が第２の内部空間２００に生けられている。第２の内部空間２００には供花５のための水７が貯められている。なお、第２の内部空間２００内に供花５のための水７を注いだ際の余分な水や、第２の内部空間２００内に侵入した雨水によって増えた水などは、第２の貫通部２４を通じて収納空間１００へ排出され、更に第１の排水口１６または第１の貫通部１４を通じて外部に排出される。従って、第２の内部空間２００の水７の水面位置は、常に第２の貫通部２４の開設位置の下側を上限Ｌ２４としている。
【００６７】
他方、図８の生花５は、墓参り後に第２の内部空間２００から取り出して持ち帰る。図９の実施形態は、墓参り後の状態を示すものであって、外容器１０と内容器２０とは逆位置の状態で組み合わされている。この逆位置の状態では、第２の底部２３が第１の開口部１１に面しており、造花保持部２６の第３の開口部２６１が外部に連通し、装飾部２５が外部に露出している。この第３の開口部２６１を通じて供花（造花６）を造花保持部２６に生ける。
【００６８】
さらに、図１０の実施形態は、例えば猛暑となる夏季や、酷寒となる冬季において、長期間墓参りできない場合の使用状態を示すものであって、花立て装置１は、第１の開口部１１が蓋３０によって覆われている。
【００６９】
図７乃至図１０のお墓は、図１乃至図６の花立て装置１を含むから、図１乃至図６を参照して説明した花立て装置１の利点を全て有することができる。例えば、花立て装置１は、内容器２０が、収納空間１００に取り出し可能に配置されている。内容器２０と外容器１０とは互いに分離可能な別部材であるから、内容器２０の形状とは別に、外容器１０を墓地や墓石４に適した形状とし、墓地や墓石４に適した装飾を施すことができる。従って、墓地の環境美化に役立つ花立て装置１を提供することができる。
【００７０】
外容器１０は、収納空間１００に連通する第１の開口部１１を有しているから、外容器１０を墓石４上に固定した状態で、第１の開口部１１を通じて、内容器２０を収納空間１００に案内し、又、収納空間１００に配置された内容器２０を取り出すことができる。従って、内容器２０に内部に溜まった水７の交換や清掃などの維持管理が容易になり、墓前の環境を清潔に維持することができる。
【００７１】
外容器１０は、第１の排水口１６を有しているから、第１の開口部１１を通じて収納空間１００に溜まった雨水が、第１の貫通孔１４または第１の排水口１６を通じて外部に排出される。従って、収納空間１００に雨水が溜まる不具合、及び、溜まった雨水が腐敗して腐臭を放つ不都合を回避することができる。
【００７２】
内容器２０は、第２の開口部２１を有しているから、内容器２０が正位置の状態で収納空間１００に収納されているとき、具体的には墓参りのときに、第２の開口部２１を通じて生花５、及び、生花５のための水７をさすことができる。
【００７３】
内容器２０は、第２の内部空間２００を有しているから、内容器２０が正位置の状態で収納空間１００に収納されているとき、例えば墓参りのときに、第２の内部空間２００に、生花５を保持し、及び、生花５のための水７をためることができる。
【００７４】
他方、内容器２０は、逆位置の状態で収納空間１００に収納されているとき、第２の底部２３が、第１の開口部１１に向かい合う。ここで、内容器２０は、収納空間１００に取り出し可能に配置されているから、例えば墓参り後に、内容器２０を収納空間１００から取り出し、逆位置の状態で収納空間１００に再配置するだけで、第２の内部空間２００に雨水が溜まる不都合を回避することができる。
【００７５】
造花保持部２６において、第３の開口部２６１は、第２の底部２３の側に開口している。この構造によると、内容器２０が逆位置の状態で収納空間１００に収納されているとき、第３の開口部２６１と、第１の開口部１１とが同一方向に開口するから、内容器２０を逆位置の状態で収納空間１００に再配置するだけで、第３の開口部２６１を通じて造花保持部２６に造花６を挿すことができる。
【００７６】
従来の供花は、生花であったことにより、夏季の直射日光や冬季の寒気によって容易に枯れ、墓地の環境が雑然となる問題が生じていた。さらに、供花が生花である場合、花立て内に生花のための水をためる必要がある。この生花のための水が、夏季には腐敗して臭気を発し、ときには蚊の幼虫の住家になり、又、冬季には凍結し、氷によって持ち上がった供花が花立てから脱落して地面に散乱し、墓地の環境が雑然となる問題が生じていた。これに対し、本願発明は、造花６を保持するための構造を有することにより、上述した生花５を供花とする場合の問題を解決することができる。
【００７７】
内容器２０において、第３の壁部２６２が、第２の壁部２２の内側に配置されている構成によると、第２の内部空間２００に、第３の内部空間２６０を画定することができるとともに、第２の内部空間２００の容積を確保することができる。
【００７８】
花立て装置１において、内容器２０の最大差し渡し寸法Ｓ３が、外容器１０の最大差し渡し寸法Ｓ１より小さくなっている構成によると、内容器２０の周りに隙間Ｇが生じ、この隙間Ｇにより断熱効果を奏することができる。従って、第２の内部空間２００に貯められた水７が、夏季の熱気により腐敗する不具合、及び、冬季の寒気により凍結する不具合を回避することができる。
【００７９】
さらに、外容器１０は、第１の貫通部１４を有するから、第１の貫通部１４を通じて外部の空気を収納空間１００に導入し、収納空間１００内の温度を一定に保つことができる。しかも、内容器２０は第２の貫通部２４を有するから、第１の貫通部１４を通じて収納空間１００に導入された外部の空気を、第２の貫通部２４を通じて第２の内部空間２００に導入し、さらに第２の開口部２１から外部に輩出される。従って、第１、第２の貫通部１４、２４の協働により、花立て装置１内の温度を一定に保ち、生花５を長持ちさせることができる。
【００８０】
内容器２０は、装飾部２５を有しており、装飾部２５は外面２３２に着脱可能に固定されている。好ましくは、内容器２０は、収納空間１００の高さ寸法Ｔ１００と同程度の高さ寸法Ｔ２２を有することにより、第２の底部２３と、第１の開口部１１とが略同一面位置となるから、装飾部２５が、第１の開口部１１から外部に突出する。この構成によると、例えば墓参り後に、内容器２０を収納空間１００から取り出し、逆位置の状態で収納空間１００に再配置することにより、装飾部２５によって墓前を飾ることができる。
【００８１】
内容器２０が正位置の状態で収納空間１００に収納されているとき、装飾部２５が退避空間１５０に入り込み、外面２３２が支持部面１５１によって安定的に支持される。従って、収納空間１００における内容器２０の収納姿勢が安定するから、例えば、墓参りの際に、収納空間１００に生花５、及び、生花５のための水７が保存され、内容器２０が重量化された状態でも、これを安定的に支持することができる。
【００８２】
他方、内容器２０が逆位置の状態で収納空間１００に収納されているとき、第２の開口部２１の周縁が支持面１５１によって支持され、高低差Ｔ１５の分だけ、装飾部２５が第１の開口部１１から外部に突出する。従って、墓参り後に、生花５を廃棄したとしても、内容器２０を上下反転させるだけで、生花５の代わりとなる装飾部２５が外部に突出し、墓前を飾ることができる。
【００８３】
内容器２０は、第２の貫通部２４を有しているから、内容器２０が正位置の状態で収納空間１００に収納されているとき、雨水が第２の内部空間２００に浸入しても、水位上限Ｌ２４以上に水7の水面位置が上昇する不都合は生じない。
【００８４】
また、内容器２０は、第２の貫通部２４を有しているから、冬季において水７が生花５とともに栓のごとくに凍結し、さらに凍結した面の底側に雨水が浸入して凍結面を押し上げようとしたとき、第２の貫通部２４を通じて雨水が収納空間１００に排出されることにより、持ち上げられた氷とともに生花５が内容器２０から脱落する不都合を回避することができる。しかも、第２の貫通部２４から収納空間１００に排出された雨水は、第１の貫通部１４、又は、第１の排水口１６を通じて、外部に排出されるから、収納空間１００に雨水が溜まる不都合も生じない。
【００８５】
ところで造花６は、生花５とは異なり、枯れることがないため、半永久的に用いることができると考えられる傾向にある。しかし、造花６も、熱気や寒気、塵埃などに晒されることにより劣化し、最長でも３ヶ月ほどで交換する必要が生じるする。そこで、花立て装置１は、蓋３０を有する。蓋３０は、第１、第２の開口部１１、２１に着脱可能に載置され、第１、第２の開口部１１、２１を覆っている。蓋３０は、墓参り後であって、例えば３ヶ月以上の長期に渡って墓参りをすることができないとき、又、第２の内部空間２００の水が全面的に凍ってしまうような極度の寒冷地の冬季などに用いる。この構造によると、造花６を用いることができない場合でも、墓前の環境を美化することができる。
【００８６】
蓋３０は、第４の貫通部３１２を有しており、第４の貫通部３１２は、好ましくは所定の模様を有する透かし彫り、又は、複数が所定のパターンで配列されて模様を構成している。この構成によると、断熱効果に加えて、外容器１０の美観が向上する。
【００８７】
図１１は本発明のもう一つ実施形態に係る墓用花立て装置の斜視図、図１２は図１１の墓用花立て装置の分解構造図である。また、図１３は図１１の墓用花立て装置の別の使用態様を示す斜視図、図１４は図１３の墓用花立て装置の内部構造を示す断面図である。図１１乃至図１４において、図１乃至図１０に示した構成部分と同一の構成部分には、同一の参照符号を付す。
【００８８】
図１１乃至図１４の墓用花立て装置は、内容器２０が円筒状である点、外容器１０が半球状である点、及び、内容器２０が外容器１０の第１の開口部１１から突出している点などで、図１乃至図１０の墓用花立て装置とは相違点を有する。以下、相違点を中心に説明する。
【００８９】
図１１乃至図１４の墓用花立て装置を構成する外容器１０は、截頭部分を有する半球状であって、収納空間１００と、第１の開口部１１と、第１の壁部１２と、第１の底部１３と、第１の貫通部１４とを有している。
【００９０】
第１の開口部１１は、平面から見て円形となっており、第１の底部１３と高さ方向Ｔに向かい合い、截頭部分に開口し、収納空間１００に連通している。第１の壁部１２は、径方向Ｄに向かい合う第１の壁部１２の内面に差し渡し寸法Ｓ５を有している。差し渡し寸法Ｓ５は、第１の開口部１１から第１の底部１３に向かって高さ方向Ｔに沿って大きくなっている。第１の底部１３は、平面から見て円形となっており、径方向Ｄに向かい合う第１の壁部１２の内面に最大差し渡し寸法Ｓ６を有している。
【００９１】
第１の貫通部１４は、第１の壁部１２の内面と外面とにそれぞれ開口し、第１の壁部１２の内部を厚み方向に貫通し、収納空間１００に連通している。
【００９２】
内容器２０は、有底円筒状であって、第２の内部空間２００と、第２の開口部２１と、第２の壁部２２と、第２の底部２３と、第２の貫通部２４とを有している。
【００９３】
第２の壁部２２は、収納空間１００の高さ寸法Ｔ１００より大きな高さ寸法Ｔ２２を有し、高さ寸法差に応じて、高さ方向Ｔの一方が第１の開口部１１から外部に突出している。
【００９４】
第２の内部空間２００は、第２の底部２３と、第２の底部２３の周縁から高さ方向Ｔに立ち上がる第２の壁部２２とによって画定されている。
【００９５】
第２の開口部２１は、第２の底部２３と高さ方向Ｔに向かい合い、第２の内部空間２００に連通している。第２の開口部２１は、平面から見て円形となっており、幅方向Ｗに向かい合う第２の壁部２２の外面に第２の差し渡し寸法Ｓ７を有している。内容器２０において、第２の差し渡し寸法Ｓ7は、第２の開口部２１から、第２の底部２３まで保たれており、第２の壁部２２は、高さ方向Ｔに伸びる中間部分に径変化部分を有しない。
【００９６】
さらに、第２の差し渡し寸法Ｓ７は、最小差し渡し寸法Ｓ５より小さくなっている。上述した構造により、墓用花立て装置は、収納空間１００に内容器２０が収納された状態で、内容器２０の内面と、外容器１０の外面との間に、内容器２０と外容器１０の径寸法差に応じた隙間Ｇを有している。隙間Ｇは、第１の開口部１１から第１の底部１３に向かうに従って拡大される。
【００９７】
図１１乃至図１４の実施形態によっても、図１乃至図１０を参照して説明した利点を全て有することができる。さらに、図１１乃至図１４の実施形態は、内容器２０が円筒状であるから、設置方向を考慮する必要がなくなり、配置作業が容易になる。
【００９８】
また、外容器１０が半球状であることにより、墓石４に対する設置面積が広くなるから、内容器２０を安定して支持することができるとともに、墓用花立て装置のデザインの多様性が確保される。
【００９９】
さらに、内容器２０が外容器１０の第１の開口部１１から突出していることにより、供花の差込位置が高くなる。従って墓用花立て装置のデザインの多様性が確保される。また、内容器２０が外容器１０の第１の開口部１１から突出していることにより、隙間Ｇに対しても造花や生花（供花など）を差し込んだとき、前記突出部分の側壁で供花などを支持することが可能となる。従って、墓前を美化することができる。
【０１００】
図１１乃至図１４の外容器１０は、第１の貫通部１４が曲面に開設されているから、通風口としての基本機能に加えて、第１の貫通部１４に対し造花や生花を差込固定し、墓前を美化することができる。
【０１０１】
図１５は本発明のさらにもう一つ実施形態に係る墓用花立て装置の斜視図、図１６は図１５の墓用花立て装置の分解構造図である。また、図１７は図１５の墓用花立て装置の別の使用態様を示す斜視図、図１８は図１７の墓用花立て装置の平面図である。図１５乃至図１８において、図１乃至図１４に示した構成部分と同一の構成部分には、同一の参照符号を付す。
【０１０２】
図１５乃至図１８の墓用花立て装置は、造花保持部２６を構成する第３の壁部２６２が第２の壁部２２の外側に配置されており、第１の開口部１１と、第２の壁部２２との間には、造花保持部２６の突出距離に応じた隙間Ｇが形成されている点に特徴がある。
【０１０３】
図１５乃至図１８の実施形態によっても、図１乃至図１４を参照して説明した利点を全て有することができる。さらに、図１５乃至図１８の実施形態は、造花保持部２６が第２の壁部２２の外側に突出していることにより、第１の開口部１１と第２の壁部２２との隙間Ｇが画定されるから、造花保持部２６の突出寸法に応じて隙間Ｇの寸法を設定することができる。さらに造花保持部２６が、第１の開口部１１の開口端縁の規制を受けることにより内容器２０の設置姿勢が安定する。
【０１０４】
図１９は本発明のさらにもう一つ実施形態に係る墓用花立て装置の使用状態を示す部分断面図である。図１９において、図１乃至図１８に示した構成部分と同一の構成部分には、同一の参照符号を付す。
【０１０５】
図１９のお墓は、花立て装置１と、墓石４とを含む。花立て装置１は、外容器１０の外周に鍔部１８が突設されている。鍔部１８は、好ましくは第１の壁部１２と一体的に結合されている。
【０１０６】
墓石４は、設置孔４７を有している。設置孔４７は、底面４７１及び側面４７２により画定された内部空間４７０を有しており、予め外容器１０の形状に応じて開設されている。さらに、設置孔４７は、底部４７１付近に排水口４７３を有しており、排水口４７３は外部に連通している。
【０１０７】
図１９の実施形態によっても、図１乃至図１８を参照して説明した利点を全て有することができる。さらに、図１９の実施形態は、墓石４に埋設されることにより、供花の飾り付け位置が低くなるとともに、墓前の光景が簡素されるなど花立て装置１のデザインの多様性が確保される。
【０１０８】
以上、好ましい実施例を参照して本発明の内容を具体的に説明したが、本発明の基本的技術思想及び教示に基づいて、当業者であれば、種種の変形態様を採り得ることは自明である。
【符号の説明】
【０１０９】
１              墓用花立て装置
１０            外容器
１００          収納空間
１１            第１の開口部
１２            第１の壁部
１４            第１の貫通部
２０            内容器
２１            第２の開口部
２２            第２の壁部
２３            第２の底部
２５            装飾部
２６            造花保持部
２６０          第３の内部空間
２６１          第３の開口部
４              墓石
【図１】
2010209567.tif 000003
【図２】
2010209567.tif 000004
【図３】
2010209567.tif 000005
【図４】
2010209567.tif 000006
【図５】
2010209567.tif 000007
【図６】
2010209567.tif 000008
【図７】
2010209567.tif 000009
【図８】
2010209567.tif 000010
【図９】
2010209567.tif 000011
【図１０】
2010209567.tif 000012
【図１１】
2010209567.tif 000013
【図１２】
2010209567.tif 000014
【図１３】
2010209567.tif 000015
【図１４】
2010209567.tif 000016
【図１５】
2010209567.tif 000017
【図１６】
2010209567.tif 000018
【図１７】
2010209567.tif 000019
【図１８】
2010209567.tif 000020
【図１９】
2010209567.tif 000021
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
外容器と、内容器とを含む墓用花立て装置であって、
前記外容器は、第１の収納空間と、前記第１の収納空間に連通する第１の開口部とを有しており、
前記内容器は、第２の内部空間と、第２の開口部と、第２の壁部と、第２の底部とを有する有底筒状であって、さらに造花保持部を有しており、
前記第２の内部空間は、前記第２の底部と、前記第２の底部の周縁から立ち上がる前記第２の壁部とによって画定されており、
前記第２の開口部は、前記第２の底部に向かい合い、前記第２の内部空間に連通しており、
前記造花保持部は、第３の内部空間と、前記第３の内部空間に連通する第３の開口部とを有し、前記第２の壁部に配置されており、
前記第３の開口部は、前記第２の底部の側に開口しており、
前記内容器は、前記第１の収納空間に取り出し可能に収納され、収納された状態で、前記第２の開口部、又は、前記第２の底部が、前記第１の開口部の側に位置している、
墓用花立て装置。
【請求項２】
請求項１に記載された墓用花立て装置であって、
前記造花保持部は、前記第２の壁部の内側に配置されている、
墓用花立て装置。
【請求項３】
請求項１に記載された墓用花立て装置であって、
前記造花保持部は、前記第２の壁部の外側に配置されている、
墓用花立て装置。
【請求項４】
請求項１乃至３の何れかに記載された墓用花立て装置であって、さらに前記外容器は、壁部と、貫通部とを有しており、
前記壁部は、前記第１の収納空間を画定しており、
前記貫通部は、前記壁部に開口し、前記第１の収納空間に連通している、
墓用花立て装置。
【請求項５】
請求項１乃至４の何れかに記載された墓用花立て装置であって、さらに前記内容器は、装飾部を有しており、
前記装飾部は、前記第２の底部の外面に突設されている、
墓用花立て装置。
【請求項６】
墓用花立て装置を含むお墓であって、
前記墓用花立て装置は、請求項１乃至５の何れかに記載されたものでなり、前記墓石に設置されている、
お墓。